(57)【要約】【課題】  同一の情報を複数の端末に、確実に及び伝送容量の消費を抑え迅速に伝送する。【解決手段】  まず、親局は、親局から子局へのマルチキャスト送信回数を決定する。親局は、子局に対し、決定されたマルチキャスト送信回数を通知する（処理２０７）。次に、親局が、マルチキャストにより複数の子局へ情報を、決定されたマルチキャスト送信回数送信する（処理２１４等）。子局が、通知されたマルチキャスト送信回数、親局から情報を受信した後に、受信されるべき情報のうち欠落した情報を識別する。子局は、欠落した情報の識別子を親局へ送信する（処理２２０）。親局が、子局から欠落した情報の識別子を受信し、欠落した情報の識別子に応じた情報を、ユニキャストにより該子局に再送する（処理２２１）。【選択図】  図２
2006279697.tif 000002
【特許請求の範囲】
【請求項１】
親局から子局へのパケットエラーレートに基づいて、再送要求を送信する子局数の期待値、再送要求に対する再送パケット数の期待値、又は、子局が情報を構成する全パケットを受信している確率に従い、マルチキャスト送信回数を決定するステップと、
決定されたマルチキャスト送信回数を子局へ通知するステップと、
複数のパケットで構成された同じ情報を、決定されたマルチキャスト送信回数、マルチキャストにより複数の子局へ送信するステップと、
通知されたマルチキャスト送信回数の情報を受信した後に欠落したパケットを識別した子局とユニキャスト用コネクションを接続するステップと、
マルチキャストによる情報を受信した子局から、情報を構成するパケットのうち欠落したパケットの識別子を含む再送要求を該ユニキャスト用コネクションにより受信するステップと、
該パケットの識別子に対応するパケットを、該ユニキャスト用コネクションにより該子局に再送するステップと
を含む情報伝送方法。
【請求項２】
前記決定するステップは、子局と通信する基地局の複数のエリアごとにマルチキャスト送信回数が決定され、
前記複数の子局へ送信するステップは、各エリアの子局に対して、決定された各エリアのマルチキャスト送信回数、同じ情報が送信される請求項１に記載の情報伝送方法。
【請求項３】
前記決定するステップは、
再送要求を送信する子局数の期待値が、該基地局が管理する全子局数の所定の割合以下になるように、マルチキャスト送信の回数を決定する請求項１に記載の情報伝送方法。
【請求項４】
前記決定するステップは、
次式に従い得られる値ｘのうちの最小の整数をマルチキャスト送信回数とする請求項３に記載の情報伝送方法。
【数１】
2006279697.tif 000009
ここで、ｘ：マルチキャスト送信回数、Ｐ：パケットエラーレート、Ｎ：送信される情報のパケット数、Ｃ１：予め定められた係数
【請求項５】
前記決定するステップは、
１つの子局の再送要求に対する再送パケット数の期待値が、送信される情報のパケット数の所定の割合以下になるように、マルチキャスト送信の回数を決定する請求項１に記載の情報伝送方法。
【請求項６】
前記決定するステップは、
次式に従い得られる値ｘのうちの最小の整数をマルチキャスト送信回数とする請求項５に記載の情報伝送方法。
【数２】
2006279697.tif 000010
ここで、ｘ：マルチキャスト送信回数、Ｐ：パケットエラーレート、Ｃ２：予め定められた係数
【請求項７】
前記決定するステップは、
通知されたマルチキャスト送信回数、情報を受信した子局について、受信されるべき情報の全パケットを受信している確率が、予め定められた確率又は該確率よりも大きくなるように、マルチキャスト送信回数を決定する請求項１に記載の情報伝送方法。
【請求項８】
前記決定するステップは、
次式に従いマルチキャスト送信回数を決定する請求項７に記載の情報伝送方法。
【数３】
2006279697.tif 000011
ここで、ｘ：マルチキャスト回数、Ｐ：パケットエラーレート、Ｎ：送信される情報のパケット数、Ｍ：子局数、Ｃ３：予め定められた、目標とする確率値
【請求項９】
子局への情報を送信するための送信部と、
子局からの情報を受信するための受信部と、
子局への情報伝送を制御する制御部と
を備え
前記制御部は、
親局から子局へのパケットエラーレートに基づいて、再送要求を送信する子局数の期待値、再送要求に対する再送パケット数の期待値、又は、子局が情報を構成する全パケットを受信している確率に従い、マルチキャスト送信回数を決定し、
決定されたマルチキャスト送信回数を、前記送信部を介して子局へ通知し、
複数のパケットで構成された同じ情報を、決定されたマルチキャスト送信回数、マルチキャストにより前記送信部を介して複数の子局へ送信し、
通知されたマルチキャスト送信回数の情報を受信した後に欠落したパケットを識別した子局とユニキャスト用コネクションを接続し、
マルチキャストによる情報を受信した子局から、情報を構成するパケットのうち欠落したパケットの識別子を含む再送要求を該ユニキャスト用コネクションにより前記受信部を介して受信し、
該パケットの識別子に対応するパケットを、該ユニキャスト用コネクションにより該子局に再送する前記親局。
【請求項１０】
前記親局は、
無線端末と通信する無線基地局、及び／又は、前記無線基地局を介して、マルチキャストにより情報を前記無線端末へ送信し、前記無線端末からの再送要求に対して、前記無線基地局を介してユニキャストにより情報を該無線端末へ送信するパケットデータサービングノードである請求項９に記載の親局。
【発明の詳細な説明】
【技術分野】
【０００１】
本発明は、情報伝送方法及び情報伝送システムに係り、特に、マルチキャスト伝送とユニキャスト伝送の双方を可能とする通信システムにおいて、一つの情報を複数の端末に確実に伝送する（以下、このような方式を放送型ダウンロードと呼ぶ）情報伝送方法及び情報伝送システムに関する。
【背景技術】
【０００２】
情報伝送には、例えば、パケットを各端末個別のアドレスに送信するユニキャスト伝送と、複数の端末に対する共通のアドレスに伝送するマルチキャスト伝送とがある。ユニキャスト伝送には、パケットの受信に失敗した端末に個別に再送が可能というメリットがある。また、１つの情報を複数の端末に送信する場合でも、受信端末数に比例した伝送容量を消費するというデメリットがある。一方、マルチキャスト伝送には、１つの情報を複数の端末に送信する場合、伝送容量の消費が１つの端末分で済むというメリットがある。また、パケットの受信に失敗した端末に、個別に再送を行うことができないというデメリットがある。
【０００３】
伝達の確実性を図るものとして、例えば、特許文献１に記載された技術が知られている。特許文献１に記載された技術では、例えば、親局が１回マルチキャスト送信をした後、子局からの送達確認情報を待ち、送達確認情報が得られなかった子局が閾値より多ければマルチキャストによって、少なければユニキャストによって再送を行うことにより伝送の確実性の向上を図っている。
【０００４】
また、廃棄されたパケットの再送要求を受信側が出さずに、受信側が正常な受信を可能とする方式が知られている（例えば、特許文献２参照）。
【特許文献１】特開２００３−２７３９２５号公報
【特許文献２】特開２００４−１８６８９２号公報
【発明の開示】
【発明が解決しようとする課題】
【０００５】
放送型ダウンロードにおいては、例えば、まず情報を確実に伝送することを前提とし、その上で伝送容量の消費を最小限にすること、迅速に伝送を行うことが目標とされる。
マルチキャストで伝送を行い、及び、子局が送達確認情報または再送要求を送信しない伝送では、確実に各子局に情報が伝達されることを保証できないという課題がある。また、放送型ダウンロードをユニキャストのみで行う場合、子局の数に比例して伝送容量が消費されるので、マルチキャストで行う伝送に比べ、伝送容量を無駄に消費する課題がある。さらに、時分割多重の場合には子局の数が多くなる程伝送に要する時間が長くなるという課題がある。
【０００６】
一方、最初の送信だけをマルチキャストで行い、再送をユニキャストで行う伝送では、特に、再送要求が多い場合、最初の再送の段階において上述のユニキャストのみで放送型ダウンロードを行う場合と同じ課題が生じる。
【０００７】
また、上述の特許文献１のように、送信のたびに子局からの送達確認情報を基にマルチキャストとユニキャストの切り替えを行う場合、毎回子局から送達確認情報が送信されるため、上りの伝送容量が圧迫される課題がある。例えば、親局が送信するたびに子局から生じる送達確認情報は子局数に比例して増大するので、子局数が多い場合、上りの伝送容量を圧迫する。さらに、送達確認情報を待つ時間を設ける必要があるため、情報を迅速に伝送する場合に課題となる。例えば、親局が送信するたびに子局からの送達確認情報を待つための時間を設ける必要があり、迅速性の面で効率が良くない場合がある。
【０００８】
本発明は、以上の点に鑑み、放送型ダウンロードにおいて、確実に、なおかつ伝送容量の消費を抑えて迅速に伝送を行う情報伝送方法及び情報伝送システムを提供することを目的とする。また、本発明は、上りの伝送容量を抑え、かつ、マルチキャスト送信の回数をできるだけ少なくすることを目的のひとつとする。また、本発明は、確実に情報を伝送するのにかかる時間を短くすることを目的とする。さらに、本発明は、マルチキャスト送信回数の決定方法を提供することを目的とする。
【課題を解決するための手段】
【０００９】
上記課題を解決すべく、本発明は、放送型ダウンロードにおいて、確実に、なおかつ伝送容量を無駄に消費することなく迅速に伝送を行うために、はじめにマルチキャストで伝送を開始し、数回のマルチキャストの後にユニキャストに切り替える。本発明は、例えば親局がはじめに同一の情報を複数回連続してマルチキャストで送信し、その後はじめて子局から再送要求を受け、それ以降は専らユニキャストで再送を行うことを特徴のひとつとする。なお、子局とは、例えば無線端末を示す。また、親局は、例えば無線基地局やＰＤＳＮ等の装置を示す。
【００１０】
また、マルチキャスト送信の回数を決定する方法として、（１）再送要求を行う子局数の期待値が全子局数の所定の割合以下になるように決定する方法、または、（２）１子局あたりの再送要求パケット数の期待値がサービスデータのパケット数の所定の割合以下になるように決定する方法、または、（３）決定した回数マルチキャストで受信した後の子局が全情報の受信を完了している確率が所定の確率になるように決定する方法を用いることを特徴のひとつとする。
【００１１】
本発明の情報伝送方式は、例えば、親局が複数の子局へ同一の情報を伝送する情報伝送方式において、前記親局が前記情報を前記子局へ、初めにマルチキャストにより複数回連続して送信し、前記子局は、前記連続した複数回のマルチキャストを通じて前記情報を受信し、前記情報に欠落があった場合、再送要求を前記親局へ送信し、前記親局は、前記再送要求を送信した子局に対してユニキャストにより情報を再送し、前記再送要求を送信した子局は前記再送要求を受けた親局から再送された情報をユニキャストにより受信することを特徴のひとつとする。
【００１２】
上述の情報伝送方式において、前記親局がマルチキャスト送信を行う前に、前記子局に対し、前記マルチキャスト送信の回数を通知することができる。また、上述の情報伝送方式において、前記親局がマルチキャスト送信の回数を決定する方法として、ユニキャストによる再送要求を行う子局数の期待値が全子局数の所定の割合以下になるように決定する方法を用いることができる。
【００１３】
上述の情報伝送方式において、前記親局がマルチキャスト送信の回数を決定する方法として、１子局のユニキャストによる再送要求に対する再送パケット数の期待値がサービスデータのパケット数の所定の割合以下になるように決定する方法を用いることができる。また、上述の情報伝送方式において、前記親局がマルチキャスト送信の回数を決定する方法として、決定回数のマルチキャスト送信を受信した後の子局が全情報の受信を完了している確率が所定の確率になるように決定する方法を用いることができる。
【００１４】
本発明の親局は、例えば親局が複数の子局へ同一の情報を伝送する情報伝送システムの前記親局であって、マルチキャストにより前記子局へ同一の情報を送信し、再送要求を行った子局に対してユニキャストにより前記情報を再送する機能を有することを特徴のひとつとする。
【００１５】
また、本発明の子局は、例えば親局が複数の子局へ同一の情報を伝送する情報伝送システムの前記子局であって、前記親局からマルチキャストにより前記情報を受信し、前記情報に欠落があった場合、再送要求を前記親局へ送信し、前記再送要求を受けた前記親局からの再送情報をユニキャストにより受信する機能を有することを特徴のひとつとする。
【００１６】
また、上述の親局は、マルチキャスト送信を行う前に、前記子局に対し、前記マルチキャスト送信の回数を通知する機能を有することができる。上述の親局は、パケットエラーレート、前記子局の数、サービスデータのパケット数に応じてマルチキャストの送信回数を決定する機能を有することができる。上述の子局は、前記親局から通知されたマルチキャスト送信の回数分マルチキャストにより前記情報を受信し、重複して受信した情報は破棄し、１つの情報を保持する機能を有することができる。
【００１７】
本発明の第１の解決手段によると、
親局から子局へのパケットエラーレートに基づいて、再送要求を送信する子局数の期待値、再送要求に対する再送パケット数の期待値、又は、子局が情報を構成する全パケットを受信している確率に従い、マルチキャスト送信回数を決定するステップと、
決定されたマルチキャスト送信回数を子局へ通知するステップと、
複数のパケットで構成された同じ情報を、決定されたマルチキャスト送信回数、マルチキャストにより複数の子局へ送信するステップと、
通知されたマルチキャスト送信回数の情報を受信した後に欠落したパケットを識別した子局とユニキャスト用コネクションを接続するステップと、
マルチキャストによる情報を受信した子局から、情報を構成するパケットのうち欠落したパケットの識別子を含む再送要求を該ユニキャスト用コネクションにより受信するステップと、
該パケットの識別子に対応するパケットを、該ユニキャスト用コネクションにより該子局に再送するステップと
を含む情報伝送方法が提供される。
【００１８】
本発明の第２の解決手段によると、
子局への情報を送信するための送信部と、
子局からの情報を受信するための受信部と、
子局への情報伝送を制御する制御部と
を備え
前記制御部は、
親局から子局へのパケットエラーレートに基づいて、再送要求を送信する子局数の期待値、再送要求に対する再送パケット数の期待値、又は、子局が情報を構成する全パケットを受信している確率に従い、マルチキャスト送信回数を決定し、
決定されたマルチキャスト送信回数を、前記送信部を介して子局へ通知し、
複数のパケットで構成された同じ情報を、決定されたマルチキャスト送信回数、マルチキャストにより前記送信部を介して複数の子局へ送信し、
通知されたマルチキャスト送信回数の情報を受信した後に欠落したパケットを識別した子局とユニキャスト用コネクションを接続し、
マルチキャストによる情報を受信した子局から、情報を構成するパケットのうち欠落したパケットの識別子を含む再送要求を該ユニキャスト用コネクションにより前記受信部を介して受信し、
該パケットの識別子に対応するパケットを、該ユニキャスト用コネクションにより該子局に再送する前記親局が提供される。
【発明の効果】
【００１９】
本発明によると、放送型ダウンロードにおいて、確実に、なおかつ伝送容量を無駄に消費することなく迅速に伝送を行う情報伝送方法及び情報伝送システムを提供することができる。また、本発明によると、上りの伝送容量を抑え、かつ、マルチキャスト送信の回数をできるだけ少なくすることができる。また、本発明によると、確実に情報を伝送するのにかかる時間を短くすることができる。さらに、本発明によると、マルチキャスト送信回数の決定方法を提供することができる。
【発明を実施するための最良の形態】
【００２０】
（ハード構成）
図１に、本発明が適用される無線情報伝送システムの一例を示す。本システムは、例えば、無線基地局１２と、無線網制御装置１３と、ＰＤＳＮ（Ｐａｃｋｅｔ  Ｄａｔａ  Ｓｅｒｖｉｎｇ  Ｎｏｄｅ）１４と、放送型ダウンロードサービス制御装置１５と、データサーバ１６とを備える。無線基地局１２は、複数の無線端末２０と通信する。なお、無線で通信する以外に、有線であってもよい。
【００２１】
データサーバ１６は、放送型ダウンロードのサービスデータが格納されている。放送型ダウンロードサービス制御装置１５は、例えば、サービスエリア、サービス開始時刻などのサービス情報がサービスデータごとに格納されており、サービスを制御する。ＰＤＳＮ１４は、ＩＰ網にあるデータサーバ１６からのサービスデータを無線網のサービス用パケットに加工し、サービスエリアの無線基地局１２へ送信する。無線網制御装置１３は、無線網を介して無線基地局１２を監視・制御する。
【００２２】
無線基地局１２は、例えば１台が３方向に送信エリアを持ち、エリアごとに時分割多重で無線端末２０と通信を行う。また、例えば無線基地局１２は、エリア毎にサービスデータ及び送信回数を示すデータをマルチキャスト送信することができる。無線基地局１２−１は、例えば、送信エリア１ａ、１ｂ、１ｃを有し、無線基地局１２−２は送信エリア２ａ、２ｂ、２ｃを有する。また、例えば、無線端末２１ａ−１〜２１ａ−ｉはエリア１ａにあり、無線端末２１ｂ−１〜２１ｂ−ｊはエリア１ｂにあり、無線端末２１ｃ−１〜２１ｃ−ｋはエリア１ｃにある。同様に、例えば、無線端末２２ａ−１〜２２ａ−ｌはエリア２ａにあり、無線端末２２ｂ−１〜２２ｂ−ｍはエリア２ｂにあり、無線端末２２ｃ−１〜２２ｃ−ｎはエリア２ｃにある。
【００２３】
ユニキャスト通信では、無線端末２０はパケット受信エラーがあると無線基地局１２に再送要求を送信し、無線基地局１２は無線端末個々にパケットを再送する。マルチキャスト通信では、無線基地局１２はサービスデータに強力な誤り訂正符号を付加し、エリア内のパケットエラー率が予め定められた値Ｐ以下に収まることを保証している。
【００２４】
次に、各ノードの機能構成について説明する。
図３は、無線端末２０の機能構成を示すブロック図である。無線端末２０は、受信部３１と、送信部３２と、誤り訂正部３３と、制御部３４と、復号鍵記憶部３５と、サービスデータ記憶部２５３６と、マルチキャスト送信回数記憶部３７とを有する。なお、図３において、各記憶部３５〜３７がひとつの記憶部で構成されてもよいし、複数で構成されてもよい。
【００２５】
受信部３１は、無線基地局１２から無線で送られてくる情報を受信する。送信部３２は、無線基地局１２に対して無線で情報を送信する。誤り訂正部３３は、受信部３１で受信した情報を誤り訂正する。制御部３４は、受信部３１が受信した情報の種別に応じて制御を行う。
【００２６】
制御部３４による制御について説明する。図１３（ａ）は、受信部３１が受信した情報が放送型ダウンロードサービス制御装置１５からの復号鍵であった場合（図２の２０２）の制御フローチャートである。受信部３１が受信した情報が放送型ダウンロードサービス制御装置１５からの復号鍵であった場合、制御部３４はその復号鍵を復号鍵記憶部３５に記憶する。
【００２７】
図１３（ｂ）は、受信部３１が受信した情報が無線基地局１２からのマルチキャスト送信回数通知であった場合（図２の２０７）の制御フローチャートである。受信部３１が受信した情報が無線基地局１２からのマルチキャスト送信回数通知であった場合、制御部３４はそのマルチキャスト送信回数をマルチキャスト送信回数記憶部３７に記憶する。
【００２８】
図１４は、受信部３１が受信した情報が無線基地局１２からのサービスデータ（図２の２１４，２１６，２１８）であった場合の制御フローチャートである。受信部３１が受信した情報が無線基地局１２からのサービスデータであった場合、制御部３４はそのサービスデータをサービスデータ記憶部３６に記憶する。その際、受信したパケットが既に受信済みであった場合は受信したパケットを破棄することができる。制御部３４は、マルチキャスト送信回数記憶部に記憶されている回数だけサービスデータを受信したら、欠落したデータの再送要求を送信する。
【００２９】
図４は、無線基地局１２の機能構成を示すブロック図である。無線基地局１２は、例えば、無線網側受信部４０１と、無線網側送信部４０２と、サービスデータ情報記憶部４０３と、マルチキャスト送信回数記憶部４０４と、端末数管理部４０５と、サービスデータ一時記憶部４０６と、制御部４０７と、誤り訂正符号付加部４０８と、端末側送信部４０９と、端末側受信部４１０とを有する。なお、サービスデータ情報記憶部４０３、マルチキャスト送信回数記憶部４０４、端末数管理部４０５は、ひとつのメモリで構成されてもよいし、複数のメモリで構成されてもよい。
【００３０】
無線網側受信部４０１は、無線網側からの情報を受信する。無線網側送信部４０２は、無線網側へ情報を送信する。端末側送信部４０９は、無線端末２０に向けて無線で情報を送信する。端末側受信部４１０は無線端末２０から無線で送られてくる情報を受信する。誤り訂正符号付加部４０８は、端末側送信部４０９から送信する情報に誤り訂正符号を付加する。
【００３１】
サービスデータ情報記憶部４０３は、サービスデータ情報テーブル４２１によりサービスデータ情報を管理する。マルチキャスト送信回数記憶部４０４は、マルチキャスト送信回数テーブル４２２により、エリア毎にマルチキャスト送信回数を管理する。端末数管理部４０５は、エリア端末数テーブル４２３によってエリアごとにマルチキャスト受信端末数を管理する。各テーブルの詳細な構成については後述する。サービスデータ一時記憶部４０６は、送信時刻前に無線網側受信部４０１が受信したサービスデータを、例えば送信時刻になって端末側送信部４０９から送信するまでの間一時的に記憶する。
【００３２】
制御部４０７は、無線網側受信部４０１が情報を受信した際に、受信した情報の種別に応じて制御を行う。また、サービス開始時刻になると、それに応じた制御を行う。ここで、制御部４０７の制御について説明する。
【００３３】
図１５及び図１６は、無線基地局１２の詳細処理を示す図（１）及び（２）である。
図１５（ａ）は、無線網側受信部４０１が受信した情報が無線網制御装置１３からの無線網サービス実施要求であった場合（図２の２０４）の制御のフローチャートである。無線網側受信部４０１が受信した情報が無線網制御装置１３からの無線網サービス実施要求であった場合、制御部４０７は、放送型ダウンロードサービス制御装置１５にサービスデータ情報要求を送信する。
【００３４】
図１５（ｂ）は、無線網側受信部４０１が受信した情報が放送型ダウンロードサービス制御装置１５からのサービスデータ情報であった場合（図２の２０６）の制御のフローチャートである。無線網側受信部４０１が受信した情報が放送型ダウンロード制御装置１５からのサービスデータ情報であった場合、制御部４０７は、サービスデータ情報をサービスデータ情報記憶部４０３に記憶する。サービスデータ情報記憶部４０３には図９に示すサービスデータ情報テーブル４２１が作成される。
【００３５】
次に、制御部４０７は、端末数管理部４０５に記憶されているエリアごとの端末数およびサービスデータ情報記憶部４０３に記憶されているサービスデータのパケット数及び／又はパケットエラーレートを基に、エリアごとにマルチキャスト送信回数を決定し、エリアの識別子に対応させてマルチキャスト送信回数記憶部４０４に記憶する。マルチキャスト送信回数記憶部４０４には図１０（ａ）に示すマルチキャスト送信回数テーブル４２２が作成される。次に、制御部４０７は、各エリアの無線端末２０に、エリアに応じたマルチキャスト送信回数を示すデータを送信する。また、制御部４０７はＰＤＳＮ１４に、それぞれのエリアについてのマルチキャスト送信回数のうち最も多い送信回数を通知する。
【００３６】
図１６（ａ）は、無線網側受信部４０１が受信した情報がＰＤＳＮ１４からのサービスデータであった場合（図２の２１３、２１５、２１７）の制御のフローチャートである。無線網側受信部４０１が受信した情報がＰＤＳＮ１４からのサービスデータであった場合、制御部４０７は、サービスデータをサービスデータ一時記憶部４０６に一時的に記憶する。
【００３７】
図１６（ｂ）は、無線基地局１２が、サービス情報記憶部４０３に記憶されているサービス開始時刻になった場合の制御のフローチャートである。サービス開始時刻になると、制御部４０７は、マルチキャスト送信回数記憶部４０４に記憶されているエリアに対応する送信回数だけ、サービスデータを各エリアの端末２０へ送信する。この際、パケットに付与されている送信時刻に同期して送信することができる。これは、サービス中に無線端末２０が無線基地局１２間を移動した場合でも継続して受信が行えるように、無線基地局１２間で同期をとるためである。
【００３８】
図５は、無線網制御装置１３の機能構成を示すブロック図である。無線網制御装置１３は、例えば、送信部５１と、受信部５２と、制御部５３とを有する。送信部５１は、制御部５３からの無線網制御情報を無線網に送信する。受信部５２は、放送型ダウンロードサービス制御装置１５からのサービス実施情報を受信する。
【００３９】
図１７は、無線網制御装置１３が無線網制御装置サービス実施要求を受信した場合の処理である。制御部５３は、受信部５２が放送型ダウンロードサービス制御装置１５からの無線網制御装置サービス実施要求を受信した場合（図２の２０３）、図１７のフローチャートに示すように、無線網サービス実施要求を無線基地局１２に送信する。
【００４０】
図６は、ＰＤＳＮ１４の機能構成を示すブロック図である。ＰＤＳＮ１４は、例えば、ＩＰ網側受信部６１と、ＩＰ網側送信部６２と、制御部６３と、無線網側送信部６４と、無線網側受信部６５と、マルチキャスト情報記憶部６６と、サービスデータ記憶部６７とを有する。なお、マルチキャスト情報記憶部６６とサービスデータ記憶部６７はひとつのメモリで構成されてもよいし、複数のメモリで構成されてもよい。
【００４１】
ＩＰ網側受信部６１は、ＩＰ網から情報を受信する。ＩＰ網側送信部６２は、ＩＰ網へ情報を送信する。無線網側送信部６４は、無線網に情報を送信する。無線網側受信部６５は無線網から情報を受信する。マルチキャスト情報記憶部６６は、マルチキャスト情報テーブル６６１を有する。一例として、制御部６３から渡されたマルチキャスト送信回数が記憶される。なお、テーブルの詳細については後述する。サービスデータ記憶部６７は、制御部６３から渡されたサービスデータを記憶する。
【００４２】
制御部６３は、ＩＰ網側受信部６１または無線網側受信部６５が受信した情報の種別に応じて制御を行う。また、制御部６３は、時刻がマルチキャスト情報記憶部６６のマルチキャスト情報テーブル６６１内のＰＤＳＮサービスデータ送信開始時刻になると、それに応じた制御を行う。ここで、制御部６３の制御について説明する。
【００４３】
図１８及び図１９は、ＰＤＳＮの詳細処理を示す図（１）及び（２）である。
図１８（ａ）は、無線網側受信部６５が受信した情報が無線基地局１２からのマルチキャスト最大送信回数通知であった場合（図２の２０８）の制御のフローチャートである。無線網側受信部６５が受信した情報が無線基地局１２からのマルチキャスト最大送信回数通知であった場合、制御部６３は、通知してきた無線基地局１２の識別子（ＩＤ）と、サービスデータ番号と、通知されたマルチキャスト最大送信回数とを対応させてマルチキャスト情報記憶部６６に記憶する。マルチキャスト情報記憶部６６にはマルチキャスト情報テーブル６６１が作成される。また、制御部６３は、放送型ダウンロードサービス制御装置１５にＰＤＳＮサービスデータ情報要求を送信する。
【００４４】
図１８（ｂ）は、ＩＰ網側受信部６１が受信した情報が放送型ダウンロード制御装置１５からのＰＤＳＮサービスデータ情報であった場合の制御のフローチャートである。ＩＰ網側受信部６１が受信した情報が放送型ダウンロード制御装置１５からのＰＤＳＮサービスデータ情報であった場合（図２の２１０）、制御部６３は、ＰＤＳＮサービスデータ情報に含まれているＰＤＳＮサービスデータ送信開始時刻と同期情報をマルチキャスト情報記憶部６６にあるマルチキャスト情報テーブル６６１に記憶する。例えば、制御部６３は、ＰＤＳＮサービスデータ情報に含まれるデータサービス番号に対応したＰＤＳＮサービスデータ送信開始時刻欄、同期情報欄に各情報を記憶する。なお、図１８（ａ）の処理において無線基地局のＩＤを記憶したエントリと同じエントリに記憶するようにしてもよい。また、制御部６３はデータサーバ１６に対しサービスデータ要求を送信する。
【００４５】
図１９（ａ）は、ＩＰ網側受信部６１がサービスデータを受信した場合（図２の２１２）の制御のフローチャートである。ＩＰ網側受信部６１がサービスデータを受信した場合、制御部６３は、サービスデータをサービスデータ記憶部６７に記憶する。
【００４６】
図１９（ｂ）は、時刻がマルチキャスト情報記憶部６６のマルチキャスト情報テーブル６６１に記憶されているＰＤＳＮサービスデータ送信開始時刻になった場合の制御のフローチャートである。時刻がマルチキャスト情報記憶部６６のマルチキャスト情報テーブルに記憶されているＰＤＳＮサービスデータ送信開始時刻になった場合、まず、制御部６３は、サービスデータ記憶部６７に記憶されているサービスデータをパケットに分割する。また、制御部６３は、各パケットに、シーケンス番号と、同期情報をもとに算出した無線基地局１２での送信時刻とを付与する。制御部６３は、それらのパケットをマルチキャスト情報記憶部６６に記憶されている各無線基地局ＩＤに従い、各基地局に対し対応するマルチキャスト送信回数だけマルチキャスト送信する。
【００４７】
図１９（ｃ）は、無線網側受信部６５が無線端末２０からの再送要求を受信した場合（図２の２２０、２２２）の制御のフローチャートである。無線網側受信部６５が無線端末２０からの再送要求を受信した場合、制御部６３は、サービスデータ記憶部６７に記憶されているサービスデータの中の要求された部分をユニキャストでその無線端末２０に送信する。
【００４８】
図７は、放送型ダウンロードサービス制御装置の機能構成を示すブロック図である。放送型ダウンロードサービス制御装置は、例えば、サービス情報記憶部７１と、制御部７２と、送信部７３と、受信部７４とを有する。
【００４９】
サービス情報記憶部７１は、サービス情報テーブル７１１を有する。送信部７３は、制御部７２から渡された情報を送信する。受信部７４は、例えば、無線端末２０からの復号鍵要求及び無線基地局１２からのサービスデータ情報要求を受信する。制御部７２は、受信部７４で受信した情報の種別に応じて制御を行う。また、制御部７２は、時刻がサービス情報記憶部７１に記憶されている無線網制御装置サービス開始要求送信時刻になった場合、それに応じた制御を行う。制御部７２の制御について説明する。
【００５０】
図２０及び図２１は、放送型ダウンロードサービス制御装置の詳細処理を示す図（１）及び（２）である。
図２０（ａ）は、受信した情報が無線端末２０からの復号鍵要求であった場合（図２の２０１）の制御のフローチャートである。受信した情報が無線端末２０からの復号鍵要求であった場合、制御部７２は、サービス情報記憶部７１に記憶されているサービス情報テーブル７１１を参照し、要求に含まれるサービスデータ番号に対応した復号鍵を無線端末２０に送信する。
【００５１】
図２０（ｂ）は、時刻がサービス情報記憶部７１に記憶されている無線網制御装置サービス実施要求送信時刻になった場合の制御のフローチャートである。時刻がサービス情報記憶部７１に記憶されている無線網制御装置サービス開始要求送信時刻になった場合、制御部７２は、サービス情報記憶部７１のサービス情報テーブル中の、対応するサービスデータ番号とサービスエリアとを無線網制御装置サービス実施要求に含めて無線網制御装置１３に送信する。
【００５２】
図２１（ａ）は、受信した情報が無線基地局１２からのサービスデータ情報要求であった場合（図２の２０５）の制御のフローチャートである。受信した情報が無線基地局１２からのサービスデータ情報要求であった場合、制御部７２は、サービス情報記憶部７１に記憶されているサービス情報テーブル７１１の中の、要求されたサービスデータ番号に対応するサービスデータパケット数と、サービス開始時刻と、マルチキャスト送信回数決定方法ＩＤと、それに対応する係数値Ｃ１またはＣ２またはＣ３とを含むサービスデータ情報を、無線基地局１２に送信する。
【００５３】
図２１（ｂ）は、受信部６４が受信した情報がＰＤＳＮ１４からのＰＤＳＮサービスデータ情報要求であった場合の制御のフローチャートである。受信部６４が受信した情報がＰＤＳＮ１４からのＰＤＳＮサービスデータ情報要求であった場合、制御部７２は、サービス情報記憶部７１に記憶されているサービス情報テーブル７１１の中の、要求されたサービスデータ番号に対応するＰＤＳＮサービスデータ送信開始時刻と同期情報とを含むＰＤＳＮサービスデータ情報を、ＰＤＳＮ１４に送信する。
【００５４】
図８は、データサーバ１６の機能構成を示すブロック図である。データサーバ１６は、例えば、サービスデータ記憶部８１と、制御部８２と、送信部８３と、受信部８４とを有する。
サービスデータ記憶部８１は、サービスデータを記憶する。送信部８３は制御部８２から渡されたサービスデータを、ＩＰ網を介してＰＤＳＮ１４に送信する。受信部８４は、例えば、ＰＤＳＮ１４からのサービスデータ要求を受信する。制御部８２は、図２２のフローチャートに示すように、受信部８４がサービスデータ要求を受信した場合（図２の２１１）、サービスデータ記憶部８１中の該当するサービスデータをＰＤＳＮ１４に送信する。
【００５５】
（テーブルフォーマット）
図９は、無線基地局１２のサービスデータ情報テーブル４２１のフォーマット図である。
サービスデータ情報テーブル４２１は、例えば、サービスデータ番号と、サービスエリアと、サービスデータのパケット数と、サービス開始時刻と、マルチキャスト送信回数決定方法ＩＤと、係数値Ｃ１〜Ｃ３とを含む。
【００５６】
サービスデータ番号は、サービスデータを識別するための番号である。なお、番号以外にも、文字、記号等適宜の識別子を用いてもよい。サービスエリアは、サービスデータを送信するエリアを示す。サービスデータのパケット数は、サービスデータ番号が示すサービスデータのパケット数を示す。サービス開始時刻は、サービスデータの送信を開始する時刻を示す。マルチキャスト送信回数決定方法ＩＤは、複数のマルチキャスト送信回数の決定方法がある場合に、いずれの方法によりマルチキャスト送信回数を求めるかを選択するための識別子である。例えば、１〜３のいずれかが記憶されることができるがこれに限られない。係数値Ｃ１〜Ｃ３は、マルチキャスト送信回数を決定する際に用いられる係数値である。係数値は、マルチキャスト送信回数決定方法ＩＤに応じて、適宜の係数値を記憶することができる。図９の例では、マルチキャスト送信回数決定方法ＩＤが１であり、この方法による計算に用いられる係数値Ｃ１が記憶されている。なお、必ずしもＣ１〜Ｃ３のフィールドを設ける必要はなく、係数値が記憶されるひとつ又は複数のフィールドに適宜Ｃ１〜Ｃ３の値が記憶されてもよい。
【００５７】
図１０（ａ）は、無線基地局１２のマルチキャスト送信回数テーブル４２２のフォーマット図である。
マルチキャスト送信回数テーブル４２２は、サービスデータ毎に、エリアとマルチキャスト送信回数とが対応して記憶される。図１０（ａ）の例は、無線基地局１２−１及び１２−２のサービスデータ１についてのマルチキャスト送信回数テーブル４２２の例である。本実施の形態では、エリア毎にマルチキャスト送信回数が決定され、本テーブルに記憶される。
【００５８】
図１０（ｂ）は、無線基地局１２のエリア端末数テーブル４２３のフォーマット図である。エリア端末数テーブル４２３は、エリアと端末数が対応して記憶される。端末数は、例えば、各エリアで通信可能な又は各エリアで管理している無線端末の数を示す。
【００５９】
図１１は、ＰＤＳＮ１４のマルチキャスト情報テーブル６６１のフォーマット図である。
マルチキャスト情報テーブル６６１は、無線基地局ＩＤと、サービスデータ番号と、ＰＤＳＮサービスデータ送信開始時刻と、同期情報と、マルチキャスト最大送信回数とを含む。
【００６０】
無線基地局ＩＤは、無線基地局１２を識別するための識別子である。サービスデータ番号は、サービスデータを識別するための番号である。ＰＤＳＮサービスデータ送信開始時刻は、ＰＤＳＮ１４から無線基地局１２へサービスデータの送信を開始する時刻を示す。同期情報は、マルチキャストされるデータの同期をとるための情報である。マルチキャスト最大送信回数は、無線基地局１２へのマルチキャスト送信の回数を示す。無線基地局１２におけるエリア毎のマルチキャスト送信回数のうち、最大の回数がここに記憶される。
【００６１】
図１２は、放送型ダウンロードサービス制御装置１５のサービス情報テーブル７１１のフォーマット図である。
放送型ダウンロードサービス制御装置１５のサービス情報テーブル７１１は、例えば、サービスデータ番号と、サービスデータのパケット数と、サービスエリアと、無線網制御装置サービス実施要求送信時刻と、ＰＤＳＮサービスデータ送信開始時刻と、同期情報と、サービス開始時刻と、マルチキャスト送信回数決定方法ＩＤと、係数値Ｃ１、Ｃ２、Ｃ３と、復号鍵とを含む。なお、これらの情報は、予めサービス情報テーブル７１１に記憶される。
【００６２】
サービスデータ番号、サービスデータのパケット数、サービスエリア、ＰＤＳＮサービスデータ送信開始時刻、同期情報、サービス開始時刻、マルチキャスト送信回数決定方法ＩＤ及び係数値Ｃ１、Ｃ２、Ｃ３については、上述と同様であるので説明を省略する。無線網制御装置サービス実施要求送信時刻は、無線網制御装置サービス実施要求を送信する時刻を示す。復号鍵は、対応するサービスデータ番号で特定される、暗号化されたサービスデータを無線端末２０が復号化するための鍵である。
【００６３】
（動作）
次に、システム全体の動作について説明する。
図２は、図１の無線情報伝送システムの通信手順を示したものである。
放送型ダウンロードのサービスデータはサービスデータ番号で識別されており、データ毎に異なる暗号鍵によって暗号化されている。放送型ダウンロードサービスを受けたい無線端末２０は、サービスデータ受信前に、暗号化されたサービスデータを復号する復号鍵を取得するために、復号鍵要求を放送型ダウンロードサービス制御装置１５に送信する（ステップ２０１）。例えば、電源投入時や入力部からの入力時など適宜のタイミングで送信されることができる。復号鍵要求には、受けたいサービスのサービスデータ番号が含まれている。サービスデータ番号は、予め無線端末２０に記憶しておくことができる。放送型ダウンロードサービス制御装置１５は、復号鍵要求を受信すると、サービス情報テーブル７１１を参照し、復号鍵要求に含まれているサービスデータ番号に対応する復号鍵を無線端末２０に送信する（ステップ２０２）。また、無線端末２０は復号鍵を受信し、復号鍵記憶部３５に記憶する。
【００６４】
放送型ダウンロードサービス制御装置１５は、時刻がサービス情報記憶部７１に記憶されているサービス情報テーブル７１１中の無線網制御装置サービス実施要求送信時刻になると、無線網制御装置１３に無線網制御装置サービス実施要求を送信する（ステップ２０３）。無線網制御装置サービス実施要求には、サービス情報テーブル７１１の、該当する無線網制御装置サービス実施要求送信時刻に対応したサービスデータ番号とサービスエリアが含まれる。本実施の形態では、例えば無線基地局１２−１のエリア１ｂ、１ｃと無線基地局１２−２のエリア２ａにおいて、サービスデータ１を送信することを通知するものとする。
【００６５】
無線網制御装置サービス実施要求を受けた無線網制御装置１３は、サービスエリアに応じた無線基地局１２−１、１２−２に対し、無線網サービス実施要求を送信する（ステップ２０４）。無線網サービス実施要求には、無線網制御装置サービス実施要求（ステップ２０３）に含まれていたのと同じサービスデータ番号、サービスエリアが含まれる。無線基地局１２−１、１２−２は、無線網制御装置サービス実施要求を受信し、その要求に含まれるサービスデータ番号と、サービスエリアとをサービスデータ情報テーブル４２１に記憶する。また、無線基地局１２−１、１２−２は、無線網サービス実施要求を受信すると、放送型ダウンロードサービス制御装置１５に対し、無線網サービス実施要求に含まれているサービスデータ番号のサービスデータに関する情報を要求するためのサービスデータ情報要求を送信する（ステップ２０５）。サービスデータ情報要求には、要求するサービスデータ情報のサービスデータ番号が含まれている。
【００６６】
放送型ダウンロードサービス制御装置１５は、サービスデータ情報要求を受信すると、サービス情報テーブル７１１を参照し、サービスデータ情報要求に含まれているサービスデータ番号に対応するサービスデータ情報を無線基地局１２−１、１２−２に対して送信する（ステップ２０６）。送信されるサービスデータ情報には、例えば、サービスデータのパケット数、サービス開始時刻、マルチキャスト送信回数の決定方法を指定するＩＤ（識別子、例えば、番号、文字、記号等）が含まれる。さらに、マルチキャスト送信回数の決定方法ＩＤに対応して、その計算に用いる係数値（Ｃ１〜Ｃ３）が含まれる。なお、マルチキャスト送信回数の決定方法を指定するＩＤは、決定方法がひとつに定められている場合は省略してもよい。
【００６７】
決定方法が、再送要求子局数が全子局数の所定の割合になるようにマルチキャスト回数を決定する方法（第１の決定方法）である場合には、送信されるサービスデータ情報は、例えばマルチキャスト送信回数決定方法ＩＤとして１と、再送要求子局数期待値係数Ｃ１とを含む。また、決定方法が、１子局あたりの再送要求パケット数期待値がサービスデータパケット数の所定の割合になるようにマルチキャスト回数を決定する方法（第２の決定方法）である場合には、送信されるサービスデータ情報は、例えばマルチキャスト送信回数決定方法ＩＤとして２と、再送要求パケット数期待値係数Ｃ２とを含む。そして、決定方法が、決定した回数のマルチキャストを受信した後の子局が全パケットの受信を完了している確率が所定の確率になるようにマルチキャスト回数を決定する方法（第３の決定方法）である場合には、送信されるサービスデータ情報は、例えばマルチキャスト送信回数決定方法ＩＤとして３と、目標となる確率値Ｃ３とを含む。
【００６８】
無線基地局１２−１、１２−２は、放送型ダウンロード制御装置１５からサービスデータ情報を受信し、サービスデータ情報に含まれるサービスデータのパケット数、サービス開始時刻、マルチキャスト送信回数決定方法ＩＤ及び係数値をサービスデータ情報テーブル４２１に記憶する。また、無線基地局１２−１、１２−２は、マルチキャスト送信回数決定方法ＩＤ応じた方法でサービスエリアごとにマルチキャスト送信回数を決定する。
【００６９】
ここで、マルチキャスト送信回数の決定方法について説明する。
まず、第１の決定方法（ＩＤ＝１）について説明する。第１の決定方法では、例えば、初回再送要求子局数の期待値が、全子局数に対して所定の割合以下になるようにマルチキャスト回数を決定する。求めるマルチキャスト回数をｘ、パケットエラーレートをＰ、サービスデータのパケット数をＮ、エリアの無線端末数をＭ、初回再送要求子局数期待値係数をＣ１とすると、
【００７０】
【数１】
2006279697.tif 000003
が成り立つ。従って、例えば、
【００７１】
【数２】
2006279697.tif 000004
のｘを満たす最小の整数をマルチキャスト送信回数とする。なお、マルチキャスト送信回数は、エリア毎に求められることができる。
【００７２】
より具体的な処理について説明すると、まず、無線基地局１２（例えば、制御部４０７）は、パケットエラーレートＰを管理する適宜の管理部又は記憶部等から、パケットエラーレートを読み出す。また、無線基地局１２は、サービスデータ情報テーブル４２１を参照し、サービスデータ番号に対応するサービスデータのパケット数Ｎと、係数Ｃ１とを読み出す。
【００７３】
次に、無線基地局１２は、上述の数式２を満たす最小の整数を求め、マルチキャスト送信回数とする。また、無線基地局１２は、求められたマルチキャスト送信回数を、マルチキャスト送信回数テーブル４２２に、エリアに対応させて記憶する。無線基地局１２は、以上の処理を繰り返し、全てのエリアについてマルチキャスト送信回数を求める。
【００７４】
次に、第２の決定方法（ＩＤ＝２）について説明する。第２の決定方法では、例えば、１子局あたりの初回再送要求パケット数が、サービスデータパケット数の所定の割合以下になるようにマルチキャスト回数を決定する。求めるマルチキャスト回数をｘ、パケットエラーレートをＰ、サービスデータのパケット数をＮ、初回再送パケット数期待値係数をＣ２とすると、
【００７５】
【数３】
2006279697.tif 000005
が成り立つ。従って、例えば、
【００７６】
【数４】
2006279697.tif 000006
のｘを満たす最小の整数をマルチキャスト送信回数とする。
【００７７】
より具体的な処理について説明すると、まず、無線基地局１２（例えば、制御部４０７）は、パケットエラーレートＰを管理する適宜の管理部又は記憶部等から、パケットエラーレートＰを読み出す。また、無線基地局１２は、サービスデータ情報テーブル４２１を参照し、サービスデータ番号に対応する係数Ｃ２を読み出す。次に、無線基地局１２は、上述の数式４を満たす最小の整数を求め、マルチキャスト送信回数とする。また、無線基地局１２は、求められたマルチキャスト送信回数を、マルチキャスト送信回数テーブル４２２に、エリアに対応させて記憶する。無線基地局１２は、以上の処理を繰り返し、全てのエリアについてマルチキャスト送信回数を求める。
【００７８】
次に、第３の決定方法（ＩＤ＝３）について説明する。第３の決定方法では、例えば、決定した回数のマルチキャストを受信した子局について、該当するサービスデータの全パケットの受信を完了している確率が所定の確率になるようにマルチキャスト回数を決定する。求めるマルチキャスト回数をｘ、パケットエラーレートをＰ、サービスデータのパケット数をＮ、エリアの無線端末数をＭ、目標とする確率値をＣ３とすると、
【００７９】
【数５】
2006279697.tif 000007
が成り立つ。従って、例えば、
【００８０】
【数６】
2006279697.tif 000008
となるｘをマルチキャスト送信回数とする。無線端末数Ｍは、図１に示す本例ではエリア１ｂに対してはｊ、エリア１ｃに対してはｋ、エリア２ａに対してはｌを用いることとなる。
【００８１】
より具体的な処理について説明すると、まず、無線基地局１２（例えば、制御部４０７）は、パケットエラーレートＰを管理する適宜の管理部又は記憶部等から、パケットエラーレートを読み出す。また、無線基地局１２は、サービスデータ情報テーブル４２１を参照し、サービスデータ番号に対応するサービスデータのパケット数Ｎと、係数Ｃ３とを読み出す。さらに、無線基地局１２は、エリア端末数テーブル４２３を参照し、エリアに対応する端末数Ｍを読み出す。
【００８２】
次に、無線基地局１２は、上述の数式６を満たす最小の整数を求め、マルチキャスト送信回数とする。また、無線基地局１２は、求められたマルチキャスト送信回数を、マルチキャスト送信回数テーブル４２２に、エリアに対応させて記憶する。無線基地局１２は、以上の処理を繰り返し、全てのエリアについてマルチキャスト送信回数を求める。
【００８３】
なお、本実施の形態では、上述の第１〜第３の決定方法を、マルチキャスト送信回数決定方法ＩＤに応じて識別し、識別された方法により送信回数を決定することを可能としているが、これ以外にも、例えば適宜のひとつの決定方法を用いてもよいし、第１〜第３の決定方法のうち適宜のふたつから選択されるようにしてもよい。また、無線基地局１２がマルチキャスト送信回数を決定する以外にも、他の適宜の装置が決定してもよい。
【００８４】
最終的に本実施の形態では、一例として、エリア１ｂでは３回、エリア１ｃでは２回、エリア２ａでは１回のマルチキャスト送信を行うことを決定したものとする。無線基地局１２は、エリアごとに、所属する無線端末２０に対し、決定した各エリアのマルチキャスト送信回数を含むマルチキャスト送信回数通知をマルチキャストで送信する（ステップ２０７）。また、無線基地局１２−１、１２−２は、先に自身の３つのエリアについてそれぞれ決定したマルチキャスト送信回数の中で最も多いマルチキャスト回数を含んだマルチキャスト最大送信回数通知をＰＤＳＮ１４に通知する（ステップ２０８）。マルチキャスト最大送信回数通知には、サービスデータ番号とマルチキャスト最大送信回数が含まれる。本例では最大送信回数として無線基地局１２−１は３（回）を、無線基地局１２−２は１（回）を通知する。
【００８５】
ＰＤＳＮ１４は、マルチキャスト最大送信回数通知を受信すると、それを通知してきた無線基地局のＩＤと、その通知に含まれるマルチキャスト最大送信回数とをマルチキャスト情報記憶部６６のマルチキャスト情報テーブル６６１に記憶する。例えば、該当するサービスデータ番号に対応して記憶する。そして、ＰＤＳＮ１４は、放送型ダウンロードサービス制御装置１５に対して、ＰＤＳＮサービスデータ情報要求を送信する（ステップ２０９）。ＰＤＳＮサービスデータ情報要求には、マルチキャスト最大送信回数通知（ステップ２０８）に含まれていたサービスデータ番号が含まれる。放送型ダウンロードサービス制御装置１５は、ＰＤＳＮサービスデータ情報要求を受信すると、ＰＤＳＮ１４に対し、ＰＤＳＮサービスデータ情報を送信する（ステップ２１０）。ＰＤＳＮサービスデータ情報には、ＰＤＳＮサービスデータ情報要求（ステップ２０９）に含まれるサービスデータ番号に対応したＰＤＳＮサービスデータ送信開始時刻と同期情報が含まれる。放送型ダウンロードサービス制御装置１５は、これら情報をサービス情報テーブル７１１を参照して取得することができる。
【００８６】
ＰＤＳＮ１４は、ＰＤＳＮサービスデータ情報を受信すると、該情報内のＰＤＳＮサービスデータ送信開始時刻と同期情報をマルチキャスト情報テーブル６６１に記憶し、及び、データサーバ１６に対し、サービスデータ要求を送信する（ステップ２１１）。サービスデータ要求には、例えば、マルチキャスト最大送信回数通知（ステップ２０８）に含まれていたサービスデータ番号が含まれている。データサーバ１６は、サービスデータ要求を受信すると、サービスデータ要求（ステップ２１１）に含まれていたサービスデータ番号に対応するサービスデータをＰＤＳＮ１４へ送信する（ステップ２１２）。ＰＤＳＮ１４は、データサーバ１６から受信したサービスデータをサービスデータ記憶部６７に記憶する。
【００８７】
そして、ＰＤＳＮ１４は、ＰＤＳＮサービスデータ情報に含まれていたＰＤＳＮサービスデータ送信開始時刻になると（又は、マルチキャスト情報テーブルに記憶されているＰＤＳＮサービスデータ送信開始時刻になると）、マルチキャスト情報記憶部６６に記憶されている無線基地局１２に対して、マルチキャスト最大送信回数分だけマルチキャスト送信する（ステップ２１３、２１５、２１７）。すなわち、無線基地局１２−１に対しては３回、無線基地局１２−２に対しては１回マルチキャスト送信する。
【００８８】
無線基地局１２は、サービス開始時刻より前に到達したサービスデータをサービス情報一時記憶部４０６に保持しておき、サービスデータ情報テーブル４２１に記憶されたサービス開始時刻になるとサービスデータを送信する。無線基地局１２は、サービスデータを、指定されたサービスエリアに対し決定した回数マルチキャストで送波する（ステップ２１４、２１６、２１８）。すなわち、無線基地局１２−１は、マルチキャスト送信回数テーブル４２２−１から各エリアの回数を取得し、エリア１ｂに対しては３回、エリア１ｃに対しては２回、サービスデータを送信する。また、無線基地局１２−２は、エリア２ａに対して１回送信する。
【００８９】
無線端末２０は、放送型ダウンロードサービスが開始されると、マルチキャスト送信回数記憶部３７に記憶されているマルチキャスト送信回数分、サービスデータの受信を行う。また、無線端末２０は、復号鍵記憶部３５に記憶されている復号鍵を使用し、復号化してもよい。その間、重複して受信したパケットは破棄することができる。無線端末２０は、指定された回数マルチキャストで情報を受信した後、例えばパケットのシーケンス番号を基に、受信できなかったパケットがあるかどうかを判断し、受信できなかったパケットがある場合、ＰＤＳＮ１４へユニキャスト接続する（ステップ２１９）。また、無線端末は、受信できなかったパケットの再送をＰＤＳＮ１４に要求する（ステップ２２０）。この要求には、例えば要求するパケットのシーケンス番号が含まれる。なお、シーケンス番号以外にも適宜の情報を基にデータの欠損を判断してもよい。また、ＰＤＳＮ以外にも、例えば無線基地局１２に再送要求を送信する構成としてもよい。
【００９０】
本実施の形態では、例えば、エリア２ａの無線端末２２ａ−１〜２２ａ−ｌは上述のステップ２１４のマルチキャストデータ受信後にこれを行い、エリア１ｃの無線端末２１ｃ−１〜２１ｃ−ｋは上述のステップ２１６のマルチキャストデータ受信後にこれを行い、エリア１ｂの無線端末２１ｂ−１〜２１ｂ−ｊは上述のステップ２１８のマルチキャストデータ受信後にこれを行う。
【００９１】
ＰＤＳＮ１４は、サービスデータ記憶部６７に記憶しておいたサービスデータを用いて、再送要求を行った無線端末（子局）２０それぞれに対し、要求されたパケットをユニキャストで再送する（ステップ２２１）。以降、各無線端末２０は完全にサービスデータを受信するまでＰＤＳＮ１４からユニキャスト再送を受ける（ステップ２２２、２２３）。
【００９２】
本発明によると、全子局に確実に情報を伝送でき、マルチキャスト送信回数が特許文献１と同じ回数になるように設定した場合、早く伝送を完了することができる。例えば、特許文献１に比べ、送達確認にかかる時間をＴａ、マルチキャスト回数をｘとすると、ｘＴａ時間早く伝送を完了させることができる。また、マルチキャスト中の上り伝送容量の消費を０とすることができる。更に、特許文献１がパケットを受信した端末からの送達確認情報を用いているのに対し、本発明はパケットを受信できなかった端末からの再送要求を用いているので、ユニキャストに切り替わった後の上り伝送容量の消費も抑えることができる。
【００９３】
本実施の形態では、再送要求先をＰＤＳＮ１４とし、ＰＤＳＮ１４に記憶装置を持たせたが、再送要求先としてデータサーバ１６を選択しても良いし、無線基地局１２に記憶装置を持たせ、無線基地局１２を再送要求先としても良い。また、マルチキャスト送信回数を決定する処理は、無線基地局１２以外にも、ＰＤＳＮ１４が処理を実行するようにしてもよい。
【産業上の利用可能性】
【００９４】
本発明は、例えば、同じ情報を複数の端末に伝送する通信システム、通信サービスに関する産業に利用可能である。
【図面の簡単な説明】
【００９５】
【図１】本発明が適用される情報伝送システムの一例を示す図。
【図２】本発明の通信手順を図１の無線情報伝送システムの例を基に示す図。
【図３】無線端末の機能構成を示したブロック図。
【図４】無線基地局の機能構成を示したブロック図。
【図５】無線網制御装置の機能構成を示したブロック図。
【図６】ＰＤＳＮの機能構成を示したブロック図。
【図７】放送型ダウンロードサービス制御装置の機能構成を示したブロック図。
【図８】データサーバの機能構成を示したブロック図。
【図９】無線基地局のテーブルのフォーマット図（１）。
【図１０】無線基地局のテーブルのフォーマット図（２）。
【図１１】ＰＤＳＮ１４のマルチキャスト情報テーブルのフォーマット図。
【図１２】放送型ダウンロードサービス制御装置１５のサービス情報テーブルのフォーマット図。
【図１３】無線端末の詳細処理を示す図（１）。
【図１４】無線端末の詳細処理を示す図（２）。
【図１５】無線基地局の詳細処理を示す図（１）。
【図１６】無線基地局の詳細処理を示す図（２）。
【図１７】無線網制御装置が無線網制御装置サービス実施要求を受信した場合の処理を示す図。
【図１８】ＰＤＳＮの詳細処理を示す図（１）。
【図１９】ＰＤＳＮの詳細処理（を示す図２）。
【図２０】放送型ダウンロードサービス制御装置の詳細処理を示す図（１）。
【図２１】放送型ダウンロードサービス制御装置の詳細処理を示す図（２）。
【図２２】データサーバがサービスデータ要求を受信した場合の処理を示す図。
【符号の説明】
【００９６】
２１ａ−１〜２１ａ−ｉ、２１ｂ−１〜２１ｂ−ｊ、２１ｃ−１〜２１ｃ−ｋ、２２ａ−１〜２２ａ−ｌ、２２ｂ−１〜２２ｂ−ｍ、２２ｃ−１〜２２ｃ−ｎ…無線端末
１２−１、１２−２…無線基地局
１３…無線網制御装置
１４…ＰＤＳＮ（Ｐａｃｋｅｔ  Ｄａｔａ  Ｓｅｒｖｉｎｇ  Ｎｏｄｅ）
１５…放送型ダウンロードサービス制御装置
１６…データサーバ
【図１】
2006279697.tif 000012
【図２】
2006279697.tif 000013
【図３】
2006279697.tif 000014
【図４】
2006279697.tif 000015
【図５】
2006279697.tif 000016
【図６】
2006279697.tif 000017
【図７】
2006279697.tif 000018
【図８】
2006279697.tif 000019
【図９】
2006279697.tif 000020
【図１０】
2006279697.tif 000021
【図１１】
2006279697.tif 000022
【図１２】
2006279697.tif 000023
【図１３】
2006279697.tif 000024
【図１４】
2006279697.tif 000025
【図１５】
2006279697.tif 000026
【図１６】
2006279697.tif 000027
【図１７】
2006279697.tif 000028
【図１８】
2006279697.tif 000029
【図１９】
2006279697.tif 000030
【図２０】
2006279697.tif 000031
【図２１】
2006279697.tif 000032
【図２２】
2006279697.tif 000033